(57)【要約】  本発明は、空間内の物体を検出した際にアクションを提供するためのデバイスであって、物体に関連するポータブルセンサによって録られるセンサデータを得る、前記センサデータから第１のムーブメントパターンを決定する、前記空間内の無線ネットワークの電子デバイス間で交換される無線通信信号を含む通信データを得る、前記通信データから第２のムーブメントパターンを決定する、前記空間内の物体を検出するために、前記第１のムーブメントパターンが前記第２のムーブメントパターンとマッチするかどうかを決定する、及び、マッチを決定した際にアクションを実行するように構成される、プロセッサを含む、デバイスを提供する。
2021534543.tif 000002
【特許請求の範囲】
【請求項１】
空間内の物体を検出した際にアクションを提供するためのデバイスであって、当該デバイスは、
物体に関連するポータブルセンサによって録られるセンサデータを得る、
前記センサデータから第１のムーブメントパターンを決定する、
前記空間内の無線ネットワークの電子デバイス間で交換される無線通信信号を含む通信データを得る、
前記通信データから第２のムーブメントパターンを決定する、
前記空間内の物体を検出するために、前記第１のムーブメントパターンが前記第２のムーブメントパターンとマッチするかどうかを決定する、及び
マッチを決定した際にアクションを実行する、
ように構成される、プロセッサを含む、デバイス。
【請求項２】
当該デバイスは、前記無線ネットワークの一部であり、当該デバイスは、前記無線ネットワークの少なくとも１つの電子デバイスと通信するための無線周波数トランシーバを含む、請求項１に記載のデバイス。
【請求項３】
前記無線ネットワークは、無線照明ネットワークである、請求項１又は２に記載のデバイス。
【請求項４】
当該デバイスは、照明デバイス、壁スイッチ、ブリッジ、スピーカ、サーバ、センサデバイス、ＨＶＡＣデバイス、窓ブラインドコントローラのうちの一つである、請求項１乃至３のいずれか一項に記載のデバイス。
【請求項５】
前記第２のムーブメントパターンは、前記無線通信信号に対する歪みに起因する前記無線通信信号のパラメータの変化を測定することによって決定される、請求項１乃至４のいずれか一項に記載のデバイス。
【請求項６】
前記パラメータは、ＲＳＳＩ値である、請求項５に記載のデバイス。
【請求項７】
前記プロセッサは、無線通信信号を交換することを増やすように前記電子デバイスのうちの少なくとも１つの電子デバイスに指示するように構成される、請求項１乃至６のいずれか一項に記載のデバイス。
【請求項８】
前記アクションは、
視覚信号、聴覚信号、又は振動信号を引き起こすこと、
照明デバイスをオンにすること、
物体を検出したという検出信号を提供すること、
物体を位置特定及び識別すること、
ＨＶＡＣを調節すること、
セキュリティシステムの状態を調節すること、
非常照明システムを調節すること、
建物のライフセーフティシステムを調節すること、
物質を投与すること、
緊急停止ボタンを作動させること、
のうちの少なくとも１つである、請求項１乃至７のいずれか一項に記載のデバイス。
【請求項９】
前記プロセッサは、物体のアイデンティティ及び／又はクラスを識別するための識別データを得るように構成され、前記アクションは、前記物体のアイデンティティ及び／又はクラスに基づいて照明デバイスの照明設定を設定することを含む、請求項１乃至８のいずれか一項に記載のデバイス。
【請求項１０】
前記ポータブルセンサは、携帯電話、タブレット、スマートウォッチ、スマートグラス、アセットタグ、衣服、車両、リストバンド、指輪、マイクロチップインプラント、社員バッジ、病院のクラッシュカートのうちの少なくとも１つに組み込まれる、請求項１乃至９のいずれか一項に記載のデバイス。
【請求項１１】
前記第１のムーブメントパターンは、第１のタイムスタンプに関連付けられ、前記第２のムーブメントパターンは、それぞれの第２のタイムスタンプに関連付けられ、前記プロセッサは、前記第１のタイムスタンプを決定するために使用される第１のクロックと、前記それぞれの第２のタイムスタンプを決定するために使用されるそれぞれの第２のクロックとの同期を促す、並びに、前記第１のムーブメントパターンとそれぞれの第２のムーブメントパターンとを比較すること、及び、前記第１のタイムスタンプと前記それぞれの第２のタイムスタンプとを比較することによって、前記第１のムーブメントパターンが前記それぞれの第２のムーブメントパターンとマッチするかどうかを決定するように構成される、請求項１乃至１０のいずれか一項に記載のデバイス。
【請求項１２】
空間内の物体を検出した際にアクションを提供するためのシステムであって、当該システムは、
請求項１乃至１１のいずれか一項に記載のデバイスと、
物体と関連するポータブルセンサと、
複数の電子デバイスを含む無線ネットワークであって、前記電子デバイスは無線通信信号を交換する、無線ネットワークと、
を含む、システム。
【請求項１３】
前記無線ネットワークは、無線照明ネットワークであり、前記デバイスは、前記無線ネットワークの一部であり、前記デバイスは、前記無線照明ネットワークの少なくとも１つの電子デバイスと通信するための無線周波数トランシーバを含む、請求項１２に記載のシステム。
【請求項１４】
空間内の物体を検出した際にアクションを提供する方法であって、当該方法は、プロセッサを含むデバイスによって実行され、
物体に関連するポータブルセンサによって録られるセンサデータを得るステップと、
前記センサデータから第１のムーブメントパターンを決定するステップと、
前記空間内の無線ネットワークの電子デバイス間で交換される無線通信信号を含む通信データを得るステップと、
前記通信データから第２のムーブメントパターンを決定するステップと、
前記空間内の物体を検出するために、前記第１のムーブメントパターンが前記第２のムーブメントパターンとマッチするかどうかを決定するステップと、
マッチを決定した際にアクションを実行するステップと、
を含む、方法。
【請求項１５】
コンピューティングデバイスのためのコンピュータプログラムであって、当該コンピュータプログラムが前記コンピューティングデバイスの処理ユニットで実行された場合、請求項１４に記載の方法を実行するためのコンピュータプログラムコードを含む、コンピュータプログラム。
【発明の詳細な説明】
【技術分野】
【０００１】
本発明は、空間内の物体を検出した際にアクションを提供するためのデバイスであって、好ましい例では、デバイスは、照明デバイスである。本発明はさらに、空間内の物体を検出した際にアクションを提供するためのシステムに関する。本発明はさらに、空間内の物体を検出した際にアクションを提供する方法に関する。本発明はさらに、コンピュータプログラムプロダクトに関する。
【背景技術】
【０００２】
存在検出及び／又はモーション検出は、当技術分野で広く知られている。存在検出器及び／又はモーション検出器の多くの形態が存在する。例えば、カメラ、サーマルカメラ、アクティブ又はパッシブ（ＰＩＲ）の赤外線（ＩＲ）モーション検出器、ムーブメントを検出するためのマイクロ波センサ、オーディオベースの位置特定(localization)に適したマイクロホン又はマイクロホンアレイ、高周波（ＲＦ）センサ、飛行時間センサ（ＴｏＦ）等が挙げられる。このような技術により、存在検出及び／又はモーション検出はまた、数多くのアプリケーションを提供することができる。例えば、人の検出される存在に基づいてライトが自動的にアクティブ／非アクティブにされ得る、高齢者の転倒が検出され得る、ジェスチャモーションの検出に基づいて装置がコミッショニングされ得る、物体の経路が倉庫内で追跡され得る、等が挙げられる。
【０００３】
本発明は、空間内の物体を検出した際にアクションを提供するためのデバイスに関する。このようなデバイス及び対応するシステムは、デバイスフリーのモーション及び存在検出を開示する、ＵＳ２０１７／０１３１１２５Ａ１から既知であり得る。より具体的には、ここに開示されている対応するシステム及び方法は、関心領域内の人及び他の物体の存在／モーションを検出する及び定量化することができるメッシュネットワーク無線周波数（ＲＦ）（ベースの）センシング技術を利用している。
【０００４】
しかしながら、このようなＲＦ（ベースの）センシングに基づく存在／モーション検出は、ＲＦ（ベースの）センシングが依然として偽陽性又は偽トリガの影響を受けやすいので不利であり得る。このような偽陽性又は偽トリガは、低減又は防止されるべきである。さらに、ＲＦベースのセンシング技術がきめの細かい(fine-grained)場合でも、ユーザを一意に識別できないことに対処することになる。したがって、このようなＲＦベースのセンシング技術のアプリケーションは、多くの場合、パーソナライズドされない(non-personalized)検出及び応答のみを含むアプリケーションに限定され得る。
【発明の概要】
【発明が解決しようとする課題】
【０００５】
本発明の目的は、少なくとも上記の課題を緩和する、改善されたデバイスを提供することである。
【課題を解決するための手段】
【０００６】
そのために、本発明は、空間内の物体を検出した際にアクションを提供するためのデバイスであって、物体に関連するポータブルセンサによって録られるセンサデータを得る、前記センサデータから第１のムーブメントパターン(movement pattern)を決定する、前記空間内の無線ネットワークの電子デバイス間で交換される無線通信信号を含む通信データを得る、前記通信データから第２のムーブメントパターンを決定する、前記空間内の物体を検出するために、前記第１のムーブメントパターンが前記第２のムーブメントパターンとマッチする(match)かどうかを決定する、及び、マッチ(match)を決定した際にアクションを実行するように構成される、プロセッサを含む、デバイスを提供する。
【０００７】
当該デバイスは、センサデータを得るように構成されるプロセッサを含む。センサデータは、空間内で検出されるべき物体に関連するポータブルセンサによって録られる。ポータブルデバイスは、例えば、ウェアラブルデバイスであってもよい。センサデータは、例えば、例えば無線通信を介して直接、及び／又は、ブリッジ若しくはゲートウェイを介して、前記ポータブルセンサから又はポータブルセンサが組み込まれるポータブルデバイスから受けてもよい。代替的に、センサデータは、例えば、センサデータが記録されるデータベース、クラウド、メモリデバイス、又はサーバから取得されてもよい。代替的に、前記ポータブルセンサは、ポータブルセンサのセットであってもよい。したがって、ある例では、プロセッサは、物体に関連するポータブルセンサ、又は該ポータブルセンサを含むポータブルデバイスから、ポータブルセンサによって録られるセンサデータを得るように構成されてもよい。
【０００８】
前記得られたセンサデータから、第１のムーブメントパターンが決定及び／又は推論されてもよい。斯くして、プロセッサは、前記センサデータを分析し、前記第１のムーブメントパターンを決定するための計算能力を有してもよい。この第１のムーブメントパターンは、前記物体のムーブメント(movement)を特徴付ける。得られたセンサデータは、例えば、加速度計、高度計、心拍数センサ、又はジャイロスコープ、磁力計等のうちの一つで録られた、物体の速度、方向、向き、又は加速度を含んでもよい。さらに、一部の代替例では、センサデータは、ポータブルセンサによってローカルに第１のムーブメントパターンに処理されてもよく、その後、第１のムーブメントパターンが、プロセッサが該第１のムーブメントパターンを直接取得し得るように、プロセッサに提供されてもよい。プロセッサは、単一のプロセッサであっても、分散型のプロセッサであってもよい。
【０００９】
さらに、前記プロセッサはまた、前記空間内の無線ネットワークの電子デバイス間で（時間的に(in time)）交換される無線通信信号を含む通信データを得るように構成される。これにより、物体は、前記空間内の無線ネットワークの前記通信信号に干渉している可能性がある。それゆえ、前記得られたセンサデータから（例えば、その分析により）、第２のムーブメントパターンが決定及び／又は推論されてもよい。例えば、前記物体のムーブメントを特徴づける、第２のムーブメントパターンは、ＲＦベースのセンシングを介して決定されてもよい。ある例では、前記通信データから第２のムーブメントパターンを決定することは、前記通信データから少なくとも１つの第２のムーブメントパターンを決定することであってもよい。したがって、複数の第２のムーブメントパターンが決定され、その後のステップでマッチについて評価されてもよい。
【００１０】
その後、無線センシング（例えば、ＲＦベースのセンシング等）と、物体に関連するポータブルセンサによってローカルに録られるセンサデータに基づくセンシングとの組み合わせを有利に利用して、前記空間内の物体が検出されてもよい。すなわち、プロセッサは、第１のムーブメントパターンが前記第２のムーブメントパターンとマッチする（対応する）かどうかを判断する。（例えばＲＦベースで感知された）第２のムーブメントパターンを介して検出された物体が、（ウェアラブルセンサで感知された）第１のムーブメントパターンを介して検出された物体と直接相関及び／又は確認され得るので、偽陽性又は偽トリガの影響を受けにくい、正確なマッチが見出され得る。マッチを決定した際にアクションを実行するということは、（第１のムーブメントパターンと前記第２のムーブメントパターンとの）マッチが例えば決定、確認、又は確立される場合にアクションを実行すると表現されてもよい。マッチは、前記空間内の物体を検出する。
【００１１】
本願全般の実施形態に当てはまる、一態様では、第１のムーブメントパターンは、重力との相対的な関係において定義されてもよく、第２のムーブメントパターンは、重力との相対的な関係において定義されてもよく、両方とも、例えば、センサを介したデータ取得及び／又は信号処理の既知の手段によって定義されてもよい。
【００１２】
ある態様では、第１のムーブメントパターンは、例えば、ポータブルセンサの軌跡であってもよく、第２のムーブメントパターンは、例えば、前記空間内の物体の軌跡であってもよい。このような軌跡は、例えば、ジグザグ若しくはＬ字状、又はＵターン、上下方向の移動等、当該ムーブメントの形状的特徴を含んでもよい。
【００１３】
このようなマッチを決定した際に、プロセッサは、アクションを実行するように構成されてもよい。斯くして、アクションは、どの物体がポータブルセンサに関連付けられているかが、ポータブルセンサから知られ得るので、パーソナライズされたアクションであってもよい。斯くして、プロセッサは、提供されるべきパーソナライズされた効果を開始又は制御してもよい。
【００１４】
以上の結果、当該デバイスは、より少ない偽陽性、より少ない偽陰性、及び／又はより少ない偽トリガで特定の物体の存在及び／又はモーションを検出するという目的を満たす。
【００１５】
さらに、本発明のデバイスは、存在検出及び／又はモーション検出のための専用のセンサハードウェアを必要とせず、単にデータを通信するためのトランシーバを必要とするだけなので、本発明は、コスト又は美観上の理由から、照明器具ベースの又は照明器具一体型のモーションセンシングハードウェアを含まない、Ｐｈｉｌｉｐｓ Ｈｕｅ又はＰｈｉｌｉｐｓ ＩｎｔｅｒＡｃｔ Ｐｒｏ等、コストに敏感なデバイス／システムにとって魅力的であり得る。
【００１６】
より少ない偽陰性に関して、例えば、ＲＦベースのセンシングのみの場合、ＲＦベースのセンシングは、物体のムーブメントパターンとして分類されるには「小さすぎる」パターンを検出し得る。それゆえ、このようなＲＦベースのセンシングだけでは、検出を結論付け得ない。例えば、これは、前記パターンをノイズとして検出し得る。しかしながら、本発明によれば、ポータブルセンサのセンサデータから決定される第１のムーブメントパターンがまた、物体のムーブメントパターンとして分類されるには「小さすぎる」同様のパターンを（独立して）レンダリングし得る。したがって、前記第１のムーブメントパターンが前記第２のムーブメントパターンとマッチするので、この場合も物体が検出され得る。なぜなら、ＲＦベースの検出が単独でなされる場合に当初はノイズとみなされたＲＦベースの検出が、ポータブルセンサのマッチする第１のムーブメントパターンの検出によって有利に確認されるからである。したがって、ノイズに代えて、検出が結論付けられる。斯くして、偽陰性が防止され得、改善されたシステムが提供される。
【００１７】
前記ムーブメントパターンは、ムーブメントシグネチャ(movement signature)、ムーブメント若しくはモーションフィンガープリント(movement or motion fingerprint)、又はムーブメントプロファイル(movement profile)と称されてもよい。前記ムーブメントパターンは、軌跡(trajectory)又は経路(path)であってもよい。さらに、機械学習が、例えば、前記ムーブメントパターンを認識するようにデバイスを教育してもよい。前記ムーブメントパターンは、ジェスチャ、例えば、人間のジェスチャであってもよい。
【００１８】
斯くして、ある例では、ポータブルセンサは、加速度計、高度計、ジャイロスコープ、向きセンサ、磁力計、温度センサ、圧力センサ、マイクロホンのうちの一つ、又はそれらの任意の組み合わせ等であってもよい。
【００１９】
一実施形態では、物体は、人、車両、ロボット及び／又はドローン、動物のうちの一つである。このような物体を検出することは有利であり得る。例えば、人を検出することは、制御アプリケーション及び／若しくはセーフティアプリケーション、並びに／又は快適性（例えば、占有者の数に動的に適合される会議室内の空気の流れ）を改善し得る。例えば、車両、ロボット、又はドローンを検出することは、交通制御若しくは交通安全、又は自律運転において有利であり得る。
【００２０】
一実施形態では、デバイスは、無線ネットワークの一部であってもよく、及び／又は、デバイスはさらに、無線ネットワークの少なくとも１つの電子デバイスと通信するための無線周波数トランシーバを含んでもよい。この実施形態は、デバイス自身によって交換される無線通信信号が、第２のムーブメントパターンを決定する及び物体を検出するために利用され得るので、有利である。したがって、デバイスは、前記空間内の無線ネットワークの他の電子デバイスによって交換される無線通信信号に完全に依存しなくてもよい。さらに、デバイスが、無線ネットワークの少なくとも１つの電子デバイスと通信するための無線周波数トランシーバを含んでもよいので、ＲＦベースのセンシングが、第２のムーブメントパターンを決定する際に行われてもよい。
【００２１】
本発明による無線ネットワークは、例えば、Ｗｉ−Ｆｉネットワーク、ＺｉｇＢｅｅネットワーク、Ｂｌｕｅｔｏｏｔｈネットワーク、ＧＳＭネットワーク、又はそれらの組み合わせであってもよい。
【００２２】
一実施形態では、前記無線ネットワークは、無線照明ネットワークであってもよい。密なグリッド状のノードを含むことが多い（無線）照明ネットワークの共通的な性質に起因して、ノード間で交換される無線通信信号を含む通信データは、空間に広く存在し得る。例えば、オフィス照明若しくは店舗照明、及び／又は工業／倉庫照明は、複数の無線壁スイッチ及び／又はブリッジデバイスと通信する無線接続性を有する複数の照明器具を含み得る。したがって、無線照明ネットワークでは、無線通信信号の交換は、存在及び／又はモーション検出に関連しない第１の機能又は初期機能を提供するためにすでに存在し得る。このことは、第２のムーブメントパターンの決定及び物体の検出を容易にする。
【００２３】
代替的に、前記無線ネットワークは、ビル管理ネットワーク、例えば、ＨＶＡＣデバイス及び／又はその無線センサのネットワークであってもよい。
【００２４】
斯くして、ある態様では、前記無線ネットワークは、無線通信に関連し、存在検出及び／又はモーション検出に関連しない第１の機能を含み、無線通信信号は、存在検出及び／又はモーション検出のために当初意図されていないが、無線ネットワークの電子デバイス間で交換される無線通信信号を含む通信データは、本発明によるデバイスによって、物体の存在検出及び／又はモーション検出に関連する第２の機能のために有利に使用される。オプションで、存在検出及び／又はモーション検出のために当初意図されていない無線通信信号のタイミングが、ＲＦベースのセンシングの性能を高めるために変更されてもよい。電子デバイス間で交換されるこのような無線通信信号は、例えば、照明設定コマンド、ソフトウェアアップデート、ビーコン情報、セキュリティキー等を含んでもよい。
【００２５】
このような照明ネットワークはさらに、複数の照明デバイスを含んでもよい。このような照明デバイスは、照明器具、ランプ、ＴＬＥＤ、照明器具のためのプラグイン接続ユニット、壁スイッチ、ブリッジデバイス、コンセントプラグ、ＨＶＡＣアクチュエータ、サーモスタット等のうちの一つを含んでもよい。
【００２６】
したがって、上記を一部考慮して、一実施形態では、デバイスは、照明デバイス、例えば、照明器具、壁スイッチ、ブリッジ、スピーカ、サーバ、又はセンサデバイス、サーモスタット、スマートアシスタント、ＨＶＡＣ若しくはビル管理（ＢＭ：building management）デバイス、アクセス制御デバイス（例えば、バッジリーダ(badge reader)）、窓ブラインドコントローラのうちの一つであってもよい。このようなデバイスは、存在検出及び／若しくはモーション検出のために当初意図されていないかもしれない、又は専用の存在センサ及び／若しくはモーションセンサを備えていないかもしれないが、それでも、無線通信ネットワークを介して無線通信をすることができ、受けるセンサデータ及び／又は（ＲＦベースのセンシングのための）通信データを有利に活用する、本発明によるアクションを実行するように構成されるプロセッサを含むことができる。斯くして、本発明は、前記リストからのデバイスに正確な検出機能性を追加的に提供するので、このようなデバイスは、その主要な機能性に次いで有利であり得る。
【００２７】
代替的な態様では、当該デバイスは、前記ポータブルセンサを含むポータブルデバイスであってもよい。したがって、本発明は、ポータブルデバイスが、その第１のムーブメントパターン及びＲＦベースのセンシングを介してその第２のムーブメントパターンの両方を検出することにより、存在／モーション検出精度を向上させる、デバイス中心の検出に関してもよい。これにより、ポータブルデバイスは、他の電子デバイス（とりわけ、照明デバイスであってもよい）と通信してもよい。
【００２８】
上述したように、前記プロセッサはまた、前記空間内の無線ネットワークの電子デバイス間で交換される無線通信信号を含む、通信データを得るように構成される。これにより、物体は、前記空間内の無線ネットワークの前記通信信号に干渉している可能性がある。一実施形態では、第２のムーブメントパターンは、前記無線通信信号に対する歪み(distortion)に起因する無線通信信号のパラメータの変化を測定することによって決定されてもよい。歪みは、例えば、当該物体又は他の物体によって引き起こされ得る。歪みは、干渉であってもよい。それにもかかわらず、歪み（又は干渉）は、無線通信信号のパラメータの変化をもたらし、これにより、第２のムーブメントパターンの決定のための基礎を形成する。その後、第２のムーブメントパターンは、第１のムーブメントパターンとマッチするかどうかを決定するために評価されことができる。さらに、パラメータの変化の前記測定は、タイムウィンドウの間に実行されてもよい。
【００２９】
この実施形態は、無線通信信号のパラメータの変化が、例えばＲＦベースのセンシング等、ムーブメントパターンを良好に検出し得るので、有利である。ここでの一般的な洞察は、物体が、無線通信信号に影響を与える、無線通信信号に干渉する、無線通信信号に作用する、無線通信信号を反射する、無線通信信号を迂回させる、無線通信信号を吸収する、及び／又は、無線通信信号をブロックする可能性があるということである。したがって、無線通信信号のパラメータのベースラインを確立する、及び、タイムウィンドウ内でその変化を比較することにより、物体のムーブメントの良好なインディケーションが提供され得る。したがって、上記の「歪みに起因する」という表現は、例えば、当該物体若しくはその他の物体、又は前記空間内／前記空間の建築的特徴による無線通信信号の反射、迂回(diversion)、吸収、ブロッキングを含んでもよい。
【００３０】
一実施形態では、パラメータは、ＲＳＳＩ値であってもよい。このようなＲＳＳＩ値は、物体によって相応に影響を受け得、したがって、本発明による測定（すなわち、センシング）を実行するための適切なパラメータを提供し得る。
【００３１】
ここで、ＲＦベースのセンシングを適用することは有利であり得る。ＲＦベースのセンシングは、人が息をする、タイピングする、テレビを見る等のささいなムーブメント(minor movement)でさえ検出することができる。したがって、ＲＦベースのセンシングは、ムーブメントシグネチャを検出及び分類することができる。これは、あるタイムウインドウ内で、無線通信信号のパラメータが以前の閾値／ベースラインに対してどれだけ変化したか、これらの変化がチャネルノイズに起因することがあり得ないようなあるレベルを大幅に超えているかどうか、組み合わされる変化がモーションにのみ起因することが知られている特定のパターンとマッチしているかどうか、等を検証することによって達成される。
【００３２】
さらに、ムーブメント検出に加えて、ＲＦベースのセンシングは、真の(true)存在検出を行うことができる。真の存在検出のために、ＲＦベースのセンシングは、（例えば、機械学習によって長期間にわたって決定される）人のいない既知のデフォルト背景（すなわちベースライン）と比較したＲＦ妨害(RF disturbance)の半静的なオフセットを分析する。存在は、人がいない前記デフォルト背景（すなわちベースライン）と比較した無線通信信号のパラメータの絶対値のシフトを観察することによって推論されてもよい。なぜなら、（動いていない場合でさえ）人の特性は、無線通信信号に干渉し、そのパラメータの値に作用し得るからである。
【００３３】
ある実施形態では、前記パラメータは、ＣＣＡ（Ｃｌｅａｒ Ｃｈａｎｎｅｌ Ａｓｓｅｓｓｍｅｎｔ）に起因する送信の遅延、又はリトライの回数のうちの一つであってもよい。
【００３４】
したがって、本発明のある態様では、プロセッサは、前記空間内の無線ネットワークの電子デバイス間で交換される前記無線信号間に少なくとも１つのベースラインを確立するように構成されてもよく、プロセッサは、前記ベースラインに基づいて前記通信データから第２のムーブメントパターンを決定するように構成されてもよい。ここで、前記ベースラインに基づいてとは、（その後に）得られた（又は測定された）無線ネットワークの電子デバイス間で交換される無線信号と、前記少なくとも１つのベースラインとの差を決定することによって第２のムーブメントパターンを決定することを示してもよい。
【００３５】
さらに、物体が通信データから第２のムーブメントパターンを決定することによってより容易に検出され得るように、物体の空間内の無線通信信号の量を増加させることが有利であり得る。したがって、一実施形態では、プロセッサはさらに、無線通信信号を交換することを増やすように前記電子デバイスのうちの少なくとも１つの電子デバイスに指示するように構成されてもよい。前記電子デバイスは、例えば、ネットワークの一部である場合には、本発明によるデバイス自体であってもよい。さらに、例えば、本発明によるデバイスは、一部の代替的な例では、例えば、メッセージを送出／受信することによって自身の無線通信信号の交換を増やしてもよい。このような信号は、ブロードキャストメッセージ又はユニキャストメッセージのいずれかであってもよい。これは、より多くの無線信号が存在する、すなわち無線スペクトル内に存在するので、無線周波数ベースのセンシングにおける検出品質を向上させる。
【００３６】
さらに、デバイスは、第２のムーブメントパターンを決定する際の信号品質及び／又はレイテンシ(latency)を決定するための手段を含んでもよい。前記信号品質及び／又はレイテンシが予め定義された閾値を下回る場合に、プロセッサは、無線通信信号を交換することを増やすように前記電子デバイスのうちの少なくとも１つの電子デバイスに指示するのを開始してもよく、又はデバイス自体が無線通信信号の交換を増加させてもよい。前記信号品質及び／又はレイテンシはまた、例えば、有効性(effectiveness)及び／若しくは速度、又は第２のムーブメントパターンを決定する有効性を示す任意の他のメトリックであってもよい。
【００３７】
代替的に、プロセッサはさらに、無線通信信号を交換することを増やすように前記空間内の他の無線ネットワークの少なくとも１つの電子デバイスに指示するように構成されてもよい。
【００３８】
さらに、代替的な実施形態では、プロセッサはさらに、ＲＦベースのセンシングを向上させるために調節された時点に無線通信信号を送信するように前記電子デバイスのうち少なくとも１つの電子デバイスに指示するように構成されてもよい。前記調節された時点とは、例えば、ＲＦベースのセンシングを介した存在及び／又はモーション検出の必要性が存在する時点中に、大量のデータ転送、例えば、エネルギレポート、ソフトウェアアップデート等を行うタイミングであってもよい。
【００３９】
さらに、他の実施形態では、プロセッサはさらに、無線通信信号を交換することを減らすように前記電子デバイスのうちの少なくとも１つの電子デバイスに指示するように構成されてもよい。前記電子デバイスは、例えば、ネットワークの一部である場合には、本発明によるデバイス自体であってもよい。例えば、ＲＦベースのセンシングは、何らかの位置の悪い送受信電子デバイスが無線通信信号の交換を制限するように指示される一方、他の電子デバイスは、例えば、同じままである又は増加する場合に改善され得る。さらに、例えば、無線ネットワーク内の特定の電子デバイスが無線信号の量を減らすように指示される一方、他の電子デバイスは、無線信号の量を増やしてもよい（例えば、室内の複数の照明器具が周囲温度を測定する場合、本発明によるデバイス又はシステムは、ＲＦベースのセンシングを最適化するために、室内の照明器具のうちのどの照明器具がどのくらいの頻度で中央サーバに温度を報告するかを再割当て(reallocate)してもよい）。
【００４０】
さらに、代替的な実施形態では、プロセッサはさらに、前記空間内の無線ネットワークの電子デバイス間で交換される他のデータをスカベンジングする(scavenge)（又はリスニングする、又はサーチする、又はハーベスティングする）ようにして、前記他のデータを通信データに含めるように構成されてもよく、第２のムーブメントパターンは、前記他のデータを含む前記通信データから決定されてもよい。斯くして、このような代替的な実施形態では、デバイスは、ＲＦベースのセンシングを向上させるために、前記電子デバイス間のトラフィック（すなわち、無線通信信号）を必ずしも増加させる必要はなく、代わりに、デバイスは、既に行われているが、例えば、未だ考慮されていない他のトラフィック（すなわち、無線通信信号）から洞察を抽出してもよい。斯くして、これにより、処理効率が、評価内で評価されるべき既に利用可能な信号の量を増やすことにより増加／改善される。デバイスは、例えば、前記空間内に既に存在する残りの信号(leftover signal)をスカベンジングするように指示されてもよい。
【００４１】
さらに、代替的な実施形態では、プロセッサはさらに、前記空間内のさらなる無線ネットワークのさらなる電子デバイス間で交換される無線通信信号を含むさらなる通信データを得るように構成されてもよい。したがって、本発明によるデバイスは、他の無線ネットワーク及びそれらの交換される無線通信信号から洞察を抽出してもよい。デバイスは、ここでは先ず、その後に得られる無線通信信号を比較するために使用され得る、ベースラインを確立してもよい。例えば、前記さらなる通信データは、照明制御のためのグループコマンド、又は異なるＰＡＮ ＩＤを持つ別のＺｉｇＢｅｅネットワーク上のＺｉｇＢｅｅメッセージを含んでもよい。
【００４２】
前述のように、マッチを決定した際に、プロセッサは、アクションを実行するように構成されてもよい。一実施形態では、アクションは、視覚信号、聴覚信号、又は振動信号を引き起こすこと、照明デバイスをオンにすること、物体を検出したという検出信号を提供すること、物体を位置特定及び識別すること、ＨＶＡＣを調節すること、セキュリティシステムの状態を調節すること、非常照明システムを調節すること、建物のライフセーフティシステム(life safety system)を調節することのうちの少なくとも一つであってもよい。さらに、前記アクションは、例えば香水／匂い等、物質を投与すること、例えば、ドアを閉める又は例えばバッテリを充電するためにリレーを切り替える等、機械的なアクチュエーション(mechanical actuation)、スイッチボードを作動させること、緊急停止ボタンを作動させること（これは、例えば、危険なエリアで検出される人の存在が自動的且つ正確に緊急ボタンを切り替え得る工業設定において有利であり得る）のうちの少なくとも１つであってもよい。
【００４３】
前述のように、アクションは、どの物体がポータブルセンサに関連付けられているかが、ポータブルセンサから知られ得るので、パーソナライズされたアクションであってもよい。したがって、一実施形態では、プロセッサは、物体のアイデンティティ及び／又はクラスを識別するための識別データを得るように構成されてもよい。識別データは、例えば、センサデータと一緒にデータセット内にあってもよく、又は、センサデータの一部であってもよい。識別データは、前記ポータブルセンサを備えるポータブルデバイスによって当該デバイスに送信されてもよい。
【００４４】
さらなる実施形態では、アクションはさらに、物体のアイデンティティ及び／又はクラスに基づいて照明デバイスの照明設定を設定することを含む。本発明によるデバイスは、（例えばＲＦベースのセンシングを介して）第２のムーブメントパターンの決定を介して前記物体を正確に検出することができる及び／又はそのアイデンティティを決定することができる及び／又はその位置を決定することができるので、本発明によるデバイスは、物体のアイデンティティ及び／又はその位置及び／又はそのアクティビティに関連するパーソナライズされた照明設定を提供するために照明デバイスを制御することを含むアクションを行ってもよい。照明設定は、例えば、検出された物体に誂えられる、照明シーン又はＨＶＡＣ温度であってもよい。
【００４５】
例えば、物体のクラスは、病院のクラッシュカート(hospital crash cart)のタイプ、例えば、患者の注射針を刺しやすくするために特定の光設定を必要とする点滴スタンド等であってもよい。前記アクションは、例えば、美術品又は野菜等のデリケートな物体のダメージを最小限に抑えるために照射される光スペクトルを変えることであってもよい。前記クラスは、例えば、物体がトロリー又はクラッシュカート、人間又はロボットであることを示してもよい。
【００４６】
一実施形態では、ポータブルセンサは、（スマート）携帯電話、タブレット、スマートウォッチ、スマートグラス、アセットタグ(asset tag)、衣服、車両、リストバンド、指輪、マイクロチップインプラント(microchip implant)、社員バッジ、病院のクラッシュカートのうちの少なくとも１つに組み込まれてもよい。
【００４７】
さらに、一実施形態では、前記第１のムーブメントパターンは、第１のタイムスタンプに関連付けられてもよく、前記第２のムーブメントパターンは、それぞれの第２のタイムスタンプに関連付けられてもよく、前記プロセッサは、前記第１のタイムスタンプを決定するために使用される第１のクロックと、前記それぞれの第２のタイムスタンプを決定するために使用されるそれぞれの第２のクロックとの同期を促す(facilitate)、並びに、前記第１のムーブメントパターンと前記それぞれの第２のムーブメントパターンとを比較すること、及び、前記第１のタイムスタンプと前記それぞれの第２のタイムスタンプとを比較することによって、前記第１のムーブメントパターンがそれぞれの第２のムーブメントパターンとマッチするかどうかを決定するように構成されてもよい。
【００４８】
本発明のさらなる目的は、少なくとも上記の課題及び不利な点を緩和する、改善されたシステムを提供することである。そのために、本発明はさらに、空間内の物体を検出した際にアクションを提供するためのシステムであって、当該システムは、本発明によるデバイスと、物体と関連するポータブルセンサと、複数の電子デバイスを含む無線ネットワークであって、電子デバイスは無線通信信号を交換する、無線ネットワークとを含む、システムを提供する。
【００４９】
例えば、当該システムは、照明システムとして有利であり得、デバイスは、照明デバイスであってもよく、無線ネットワークは、無線照明ネットワークであってもよい。斯くして、照明システムは、自身の第１の又は初期機能性を含んでもよいが、さらに又は二次的に、（無線接続性及び処理インテリジェンスの適合性(suitability)が十分であり得るので）追加の存在検出器及び／又はムーブメント検出器を必要とせずに、存在検出及び／又はムーブメント検出機能性を提供してもよい。したがって、一実施形態では、無線ネットワークは、無線照明ネットワークであり、デバイスは、無線ネットワークの一部であり、デバイスはさらに、無線照明ネットワークの少なくとも１つの電子デバイスと通信するための無線周波数トランシーバを含む、本発明によるシステムが提供される。
【００５０】
本発明による照明デバイスに当てはまる利点及び／又は実施形態は、本発明による目下の照明システムにも当てはまり得る。
【００５１】
本発明のさらなる目的は、少なくとも上記の課題及び不利な点を緩和する、空間内の物体を検出した際にアクションを提供する改善された方法を提供することである。そのために、本発明はさらに、空間内の物体を検出した際にアクションを提供する方法であって、当該方法は、プロセッサを含むデバイスによって実行され、物体に関連するポータブルセンサによって録られるセンサデータを得るステップと、前記センサデータから第１のムーブメントパターンを決定するステップと、前記空間内の無線ネットワークの電子デバイス間で交換される無線通信信号を含む通信データを得るステップと、前記通信データから第２のムーブメントパターンを決定するステップと、前記空間内の物体を検出するために、前記第１のムーブメントパターンが前記第２のムーブメントパターンとマッチするかどうかを決定するステップと、マッチを決定した際にアクションを実行するステップとを含む、方法を提供する。
【００５２】
本発明によるデバイス及び／又はシステムに当てはまる利点及び／又は実施形態は、本発明による目下の方法にも当てはまり得る。
【００５３】
本発明はさらに、コンピュータプログラムプロダクトに関する。したがって、本発明は、コンピューティングデバイスのためのコンピュータプログラムプロダクトであって、当該コンピュータプログラムプロダクトがコンピューティングデバイスの処理ユニットで実行された場合、本発明による方法を実行するためのコンピュータプログラムコードを含む、コンピュータプログラムプロダクトを提供する。
【００５４】
斯くして、本発明の態様は、コンピュータにより実行され得るコンピュータ可読記憶デバイスに記憶されたコンピュータプログラム命令の集合体であってもよいコンピュータプログラムプロダクトにおいて、実施されてもよい。本発明の命令は、スクリプト、解釈可能プログラム、ダイナミックリンクライブラリ（ＤＬＬ）又はＪａｖａクラスを含むが、これらに限定されない任意の解釈可能又は実行可能コードメカニズムであってもよい。命令は、完全な実行可能プログラム、部分実行可能プログラム、既存のプログラムに対する修正（例えば更新）、又は既存のプログラムに対する拡張（例えば、プラグイン）として提供され得る。さらに、本発明の処理の一部は、複数のコンピュータ又はプロセッサにわたって分散されてもよい。
【００５５】
本発明のある態様では、空間内の物体を検出した際にアクションを提供するためのデバイスであって、当該デバイスは、物体に関連するポータブルセンサによって録られるセンサデータを得る、前記センサデータから第１のムーブメントパターンを決定する、前記空間内の無線ネットワークの電子デバイス間で交換される無線通信信号を含む通信データを得る（前記無線ネットワークは、無線通信に関連するが、存在検出及び／又はモーション検出に関連しない機能を有し、無線通信信号は、存在検出及び／又はモーション検出のために当初意図されていない）、前記通信データから第２のムーブメントパターンを決定する、前記空間内の物体を検出するために、前記第１のムーブメントパターンが前記第２のムーブメントパターンとマッチするかどうかを決定する、及び、マッチを決定した際にアクションを実行するように構成される、プロセッサを含む、デバイスが提供される。
【図面の簡単な説明】
【００５６】
ここで、本発明が、概略的で非限定的な図によってさらに述べられる。
【図１】図１は、本発明によるデバイスと、物体に関連するポータブルセンサと、複数の電子デバイスを含む無線ネットワークとを含む、本発明によるシステムの一実施形態を概略的に示す。
【図２】図２は、図１に示されるシステムに対応する本発明によるデバイスの一実施形態を概略的に示す。
【図３】図３は、本発明によるデバイスと、物体に関連するポータブルセンサと、複数の電子デバイスを含む無線ネットワークとを含む、本発明によるシステムの一実施形態を概略的に示す。
【図４】図４は、本発明による方法の一実施形態を概略的に示す。
【発明を実施するための形態】
【００５７】
上述したように、本発明によるデバイス及び／又はシステムは、より少ない偽陽性、より少ない偽陰性、及び／又はより少ない偽トリガで特定の物体の存在及び／又はモーションを検出するという目的を満たす。
【００５８】
図１は、非限定的な例として、本発明によるシステム１００の一実施形態を概略的に示す。システム１００は、空間３０内の物体２０を検出した際にアクションを提供する。空間３０は、部屋であるが、代替的に、例えば、小売ドメイン又はオフィスドメインにおける、任意の他の屋内又は屋外環境であってもよい。物体２０は、アイデンティティＡを有する人である。空間３０は、別の物体７０も収容している。ここで、前記別の物体７０は、人の外観を有する（人型の）清掃ロボットである。代替的に、別の物体は、別の人であってもよく、さらに代替的に、少なくとも１つの別の物体（例えば、人）が、前記空間内に存在してもよい。
【００５９】
システム１００は、本発明によるデバイス１０を含む。デバイス１０は、照明デバイスであり、より具体的には、天井取り付け照明器具である。代替的に、デバイスは、壁スイッチ、ブリッジ、例えば音声制御用のスピーカ等の（スマート）スピーカ、サーバ、又はセンサデバイスのうちの一つであってもよい。さらに代替的に、デバイスは、デスクランプ、床に近いつまずき防止用の照明、又はコーブ照明用のＬＥＤストリップであってもよい。本非限定的な例では、デバイス１０は、例えばＰＩＲセンサ又はＭＷセンサ等の存在検出及び／又はモーション検出のための専用ハードウェアを含まず、単に、無線ネットワーク内の他の無線デバイスと無線通信するための高周波（ＲＦ）トランシーバ（図２の参照番号１９参照）を含む。
【００６０】
システムはさらに、複数の電子デバイス４１、４２、４３、４４を含む無線ネットワーク４０を含む。デバイス１０は、前記無線ネットワーク４０の一部である。デバイス１０及び前記電子デバイス４１、４２、４３、４４は、互いに通信し、無線通信信号を交換してもよい。これは、例えば、ブロードキャストメッセージ又はユニキャストメッセージであってもよい。前記複数の電子デバイス４１、４２、４３、４４は、ここでは、前記空間３０の天井に取り付けられた、本発明によるデバイス１０と同様の２つの照明器具４１、４２と、室内のこれらの天井に取り付けられた照明器具１０、４１、４２を制御するための無線壁スイッチ４３と、無線接続性を有するスタンドアロンの照明デバイス４４とを含む。言及された全ての（電子）デバイスが照明デバイス及び／又は照明関連であり、無線ネットワークが複数の照明デバイスを含むので、無線ネットワーク４０は、無線照明ネットワークである。ここでは、無線照明ネットワークは、ＺｉｇＢｅｅネットワークである。
【００６１】
代替的に、上述の電子デバイスは、照明デバイス、ビーコン、センサデバイス、アクチュエータ、スピーカ、スマートアシスタントエンティティ、ブリッジ、コンピュータ、携帯電話、タブレット、スマートウェアラブル、サーバ、テレビ、スマートキッチンアプライアンス、家具、建物要素(building element)、ＨＶＡＣエンティティ等のうちの一つであってもよい。さらに代替的に、本発明による無線ネットワークは、例えば、Ｗｉ−Ｆｉネットワーク、ＺｉｇＢｅｅネットワーク、Ｂｌｕｅｔｏｏｔｈネットワーク、ＧＳＭネットワーク、異なる周波数帯の独自プロトコル、又はそれらの組み合わせであってもよい。
【００６２】
システム１００はさらに、物体２０に関連するウェアラブルセンサ２２を含む。ウェアラブルセンサ２２は、ここでは、人が自身の腕２０に装着するブレスレットである、ウェアラブルデバイス２１に組み込まれている。代替的に、ウェアラブルセンサは、（スマート）携帯電話、タブレット、スマートウォッチ、スマートグラス、アセットタグ、衣服、車両、リストバンド、指輪、マイクロチップインプラント、社員バッジのうちの少なくとも１つに組み込まれてもよい。斯くして、ウェアラブルセンサは、代替的に、他の任意のポータブルセンサであってもよい。ウェアラブルセンサ２２は、人２０（すなわち、物体）のムーブメントを監視／測定することができる。斯くして、ウェアラブルセンサは、加速度計、高度計、ジャイロスコープ、向きセンサ、磁力計、温度センサ、圧力センサ、マイクロホン、又はそれらの任意の組み合わせ等のうちの１つ、又はそれらのセットであってもよい。ウェアラブルデバイス２１は、無線接続性を提供し、ウェアラブルセンサ２２によって測定されるセンサデータ（図２の参照番号１４参照）をデバイス１０に送信する。したがって、ウェアラブルデバイス２１は、無線ＺｉｇＢｅｅネットワークの一部であってもよい。代替的に、前記センサデータは、サーバ、メモリ、クラウドに送信されてもよく、そこからデバイスが前記センサデータを取得できるようにしてもよい。
【００６３】
引き続き図１を参照し、ここで図２も参照すると、デバイス１０は、プロセッサ１３を含む。プロセッサ１３は、ワイヤレスセンサ２２によって測定された前記ウェアラブルデバイス２１の前記センサデータ１４を得るように構成される。したがって、プロセッサ１３は、デバイス１０のＲＦトランシーバ１９と通信又は接続している。センサデータ１４は、空間３０内で検出されるべき人２０である、物体２０のウェアラブルセンサ２２によって録られる。前述のように、センサデータ１４は、ウェアラブルセンサ２２が組み込まれている前記ウェアラブルデバイス２１から、無線通信を介して、直接受信される。センサデータ１４のこの通信は、代替例では、単一又は複数のホップを介して行われてもよい。代替的に、センサデータは、例えば、センサデータが記録されるデータベース、クラウド、メモリデバイス、又はサーバから取得されてもよい。
【００６４】
得られた前記センサデータ１４から、第１のムーブメントパターン１１が、デバイス１０のプロセッサ１３によって決定される。このような第１のムーブメントパターン１１は、例えば、ウェアラブルセンサ２１によって録られたセンサデータ１４に存在する得られた加速度計及び／又はジャイロスコープデータ（又は、代替的に、前述したような他のセンサからの他のデータ）を分析することによって決定されてもよい。この第１のムーブメントパターン１１は、前記人２０のムーブメント(movement)を特徴付ける。さらに、一部の代替的な例では、センサデータは、ウェアラブルセンサによってローカルに第１のムーブメントパターンに処理され、当該第１のムーブメントパターンが、その後、プロセッサに提供されて、プロセッサが該第１のムーブメントパターンを直接得るようにしてもよい。
【００６５】
物体２０の第１のムーブメントパターン１１の決定を準用して、別の物体７０（すなわち人型ロボット）及び別の物体の第１のムーブメントパターン６１も、同様にプロセッサ１３によって決定されてもよい。同様に、人型ロボットである、別の物体７０は、ウェアラブルセンサ７２を含むセンサデバイス７１（すなわち、ウェアラブルデバイス）を含んでもよい。プロセッサ１３はここで、人２０の第１のムーブメントパターン１１と人型ロボット７０の第１のムーブメントパターン６１に関する知識を有するが、人２０又は人型ロボット７０が前記空間３０内のどこに正確に位置しているかは（それぞれのセンサデータ１４のみに基づいて）まだ分からない。無線周波数ベースのセンシングは、そのための結果を提供し得るが、一般的なＲＦベースのセンシング技術は、物体を一意に識別し得ない。
【００６６】
したがって、引き続き図１及び図２を参照すると、前記プロセッサ１３はまた、前記空間３０内の無線照明ネットワーク４０の（自身を含む）電子デバイス４１、４２、４３、４４間で（時間的に）交換される無線通信信号４５を含む、通信データ１５を得るように構成される。
【００６７】
物体２０は、そのボディーマス(body mass)及び含水量に起因して前記空間３０内の無線ネットワーク４０の前記通信信号４５に干渉し得るので、通信データ１５を分析することは、物体２０の第２のムーブメントパターン１２を決定するための基礎となる。すなわち、前記物体２０のムーブメントを特徴づける、第２のムーブメントパターン１２は、無線ＺｉｇＢｅｅ照明ネットワーク４０におけるＲＦベースのセンシングを介して決定されてもよい。同様に、別の物体７０（すなわち、人型ロボット）のムーブメントを特徴づける、第２のムーブメントパターン６２は、無線ＺｉｇＢｅｅ照明ネットワーク４０におけるＲＦベースのセンシングを介して決定されてもよい。人型ロボット７０は、例えば、ＲＦベースのセンシングがその存在及び位置を（例えば、より容易に）決定し得るように、無線ネットワーク４０の通信信号４５をよりブロック又は反射してもよい。
【００６８】
ここで、物体２０の第２のムーブメントパターン１２は、無線ネットワーク４０の無線通信信号４５のパラメータＲＳＳＩの変化を測定することによって決定される。前記変化は、前記無線通信信号４５に対する物体２０の歪み（又は干渉）に起因する。歪み（又は干渉）は、（較正された）ベースラインＲＳＳＩと比較して、無線通信信号のＲＳＳＩの変化をもたらす。この変化は、特定のムーブメントの物体を示し得る。一般的なＲＦベースのセンシングの作用(working)は、当技術分野で知られているであろう。
【００６９】
斯くして、人２０及び人型ロボット７０の第２のムーブメントパターンが決定され得る。しかしながら、無線（ＲＦ）センシングのみに基づいて、センシングされた及び／又は決定された第２のムーブメントパターン１２、６２のアイデンティティは判明され得ない。したがって、無線センシングと、物体２０、７０に関連するウェアラブルセンサ２２、７２によってローカルに録られるセンサデータ１４に基づくセンシングとの組み合わせを有利に活用して、当該物体２０、７０の位置及びアイデンティティが決定され得る。
【００７０】
すなわち、人２０を検出するために、プロセッサ１３は、人２０の第１のムーブメントパターン１１が、前記空間３０内で検出された２つの第２のムーブメントパターン１２、６２のうちの１つとマッチするか否かを判断する。プロセッサ１３は、前記空間３０内で決定されたＺ字状の第２のムーブメントパターン１２が、いずれも物体２０（すなわち、人）に関連する、ウェアラブルデバイス２１から得られ、ウェアラブルセンサ２２で録られたセンサデータ１４から決定されたＺ字状の第１のムーブメントパターン１１とマッチすると判断する。プロセッサ１３はここで、物体２０、すなわち、人の検出された位置を知り、該位置は、天井取り付け照明器具のうち上側の照明器具４１に近い。
【００７１】
このようなマッチを決定した際に、プロセッサは、アクションを実行する。斯くして、アクションは、当該物体２０が関連していることが、ウェアラブルセンサ２２及びそのそれぞれのセンサデータ１４から知られるので、パーソナライズされたアクションであってもよい。前述のように、物体２０は人であり、斯くして、プロセッサ１３は、無線ネットワーク４０を介した無線指示信号を介して、人に近い天井取り付け照明器具４１にオンするように指示する。これらのメッセージは、ネットワークを混雑させ、さらにＲＦベースのセンシングを向上させる。また、前述したような他のアクションが提供されてもよい。斯くして、プロセッサ１３は、提供されるべきパーソナライズされた効果を開始又は制御してもよい。
【００７２】
同様に、準用して、プロセッサ１３は、人型ロボット７０の第１のムーブメントパターン６１が、前記空間３０内で検出された２つの第２のムーブメントパターン１２、６２のうちの１つとマッチするか否かを判断する。プロセッサ１３は、人型ロボットの第１のムーブメントパターン６１が、天井取り付け照明器具１０である、デバイス１０の近傍で検出された第２のムーブメントパターン６２とマッチすると判断する。このようなマッチを決定した際に、プロセッサ１３は、アクションを実行する。プロセッサ１３は、人型ロボットにビーコンを提供するために超音波信号を発するように、前記天井取り付け照明器具１０内のスピーカに指示する。本発明は正確でパーソナライズされた検出を可能にするので、このようなアクションは、人が検出されたことをマッチが示した場合には提供されない。アクションはまた、人型ロボットを囲むライトを最大の光出力又は特別なスペクトル（例えばＵＶ等）に切り替えて、人型ロボットを囲むハロ(halo)内で、例えばカメラ等の清掃ロボットの検出手段による、例えば汚れ等の物質の可視性を高めることを含んでもよい。
【００７３】
追加的に、プロセッサ１３は、第２のムーブメントパターン１２、６２を決定するためにいくらかの時間(some time)又はいくらかの努力(some effort)をかけてもよい。第２のムーブメントパターン１２、６２の検出を改善するために、プロセッサはさらに、無線通信信号の交換を増やすように壁スイッチ４３（又は代替的に前記電子デバイス４１、４２、４４のうちの別の１つ又は自身１０）に指示するように構成される。壁スイッチ４３は、例えば、その制御下にあるすべてのデバイスにパイロット信号又はテストメッセージを送信してもよい。さらに、代替的な態様では、デバイスは、第２のムーブメントパターンを決定する有効性及び／又は速度を決定する手段（図示せず）を含んでもよい。前記有効性及び／又は速度が予め定義された閾値を下回る場合に、プロセッサは、無線通信信号を交換することを増やすように前記電子デバイスのうちの少なくとも１つの電子デバイスに指示するのを開始してもよく、又はデバイス自体が無線通信信号の交換を増加させてもよい。
【００７４】
図示されていない、一実施形態では、前記第１のムーブメントパターンは、第１のタイムスタンプと関連付けられてもよい。また、前記第２のムーブメントパターンは、それぞれの第２のタイムスタンプと関連付けられてもよい。これは、ウェアラブルデバイス及びデバイスが、同期したクロックを含むことを意味する。この場合、プロセッサは、前記第１のムーブメントパターンとそれぞれの第２のムーブメントパターンとを比較すること、及び、前記第１のタイムスタンプと前記それぞれの第２のタイムスタンプとを比較することによって、前記第１のムーブメントパターンが前記それぞれの第２のムーブメントパターンとマッチするかどうかを決定してもよい。
【００７５】
図３は、非限定的な例として、図１及び図２の実施形態と部分的に類似しているが、ここでは物体８０が前記空間３０内に位置せず、その外部に位置している、本発明によるシステム２００の一実施形態を概略的に示している。物体８０は、人である。人は、そのモーションを感知するウェアラブルセンサ９２を備えたスマートフォン９１を装着している。人８０は立ち止まっており、したがって、ウェアラブルセンサ９２は、静止ムーブメント(stationary movement)を検出する。スマートフォン９１は、ウェアラブルセンサ９２の測定値に基づいて第１のムーブメントパターン８１を決定する。これにより、第１のムーブメントパターン８１は、センサデータ９３として、図１及び図２に示される実施形態と同様に天井取り付け照明器具である、本発明によるデバイス２１０のプロセッサ２１３に送信される。また、スマートフォン９１は、センサデータ９３とともに、識別データ９４をプロセッサ２１３に送信する。この場合、プロセッサ２１３は、センサデータ９３から第１のムーブメントパターン８１を受けることによりセンサデータ９３から第１のムーブメントパターン８１を決定する。
【００７６】
プロセッサはさらに、前記空間３０内の無線ネットワーク４０の電子デバイス４１、４２、４３、４４の間で交換される無線通信信号４５を含む通信データ（図示せず）を得る。前述したように、図１及び図２に示される実施形態と同様に、ＲＦベースのセンシングに基づいて、第２のムーブメントパターン８２が、前記通信データから決定される。この第２のムーブメントパターン８２は、空間３０内で検出され、ジグザグムーブメント(zig-zagging movement)の検出に関連する。このムーブメントは、決して人８０によってもたらされていなく、誤検出、前記空間内の他の物体、等によってもたらされている可能性がある。
【００７７】
一般的に知られているＲＦベースのセンシングは、前記第２のムーブメントパターン８２を検出し、それに関連するアクションを実行するであろう。例えば、ライトをオンにする。しかしながら、特定の人８０が空間３０内にいる場合にのみライトをオンにすることが要求され得るところ、ここではその場合ではない。斯くして、一般的に知られているＲＦベースのセンシング技術は、望ましくない検出をレンダリングするだろう。
【００７８】
本発明に関して、プロセッサ２１３は、前記空間３０内の物体８０を検出するために、前記第１のムーブメントパターン９１が前記第２のムーブメントパターン８２とマッチするかどうかを決定する。しかしながら、静止している第１のムーブメントパターン８１は、ジグザグに検出された第２のムーブメントパターン８２とマッチしないので、マッチはない。マッチがないので、アクションは実行されない。
【００７９】
図示されていない、さらなる実施形態では、図３に示される実施形態が提供されるが、ここでは人８０が前記空間３０に入る。プロセッサ２１３は、人８０を識別する識別データ９４を受信しているので、プロセッサ２１３のアクションは、前記空間３０内の全ての照明デバイス４１、４２、４４、２１０の照明設定を、人８０のアイデンティティに対応する照明シーンに設定することである。例えば、人が、デバイス２１０及び／又はシステム２００が人８０の入室を具体的に検出した際の前記空間３０内のウェルカム(welcoming)照明シーンを予め定義（コミッショニング）している場合、デバイス２１０及び／又はシステム２００は、前記照明デバイスに前記予め定義された（又はパーソナライズされた）シーンを提供するように指示してもよい。さらに、例えば、別の人が前記部屋に入る場合、デバイス２１０及び／又はシステム２２０は、入室する当該別の人のアイデンティティに対応する、別のアクションを提供してもよい。
【００８０】
このような実施形態は、例えば以下のような例で有利であり得る。ある家族の住宅は、複数のライトが空間中に配されたリビングルームを有する。彼らのＰｈｉｌｉｐｓ Ｈｕｅ及び対応するＰｈｉｌｉｐｓ Ｈｕｅシステムは、本発明によるデバイス及び対応するシステムである。Ｐｈｉｌｉｐｓ Ｈｕｅデバイスは、（ＺｉｇＢｅｅネットワークを介した）ＲＦベースのセンシングに基づいてモーションセンシングをアクティブにしている。すなわち、人が部屋に入るたびに、ライトが自動的に点灯する。なぜなら、すべての異なるリンクのＲＳＳＩが、周りを動く人のものとマッチすることが知られているパターンに従って変化するからである。しかしながら、デフォルトの設定が誰にも適さないため、家族は、どのライト設定を用いるか意見がまとまらない。本発明では、例えばスマートウォッチを担持している各ユーザが、当該スマートウォッチが各ユーザの第１のムーブメントパターンを決定するために必要なセンサデータを送信することができるので、部屋に入る際に一意に識別され、当該ユーザが事前に選択したシーンをトリガすることができる。
【００８１】
図４は、非限定的な例として、空間内の物体を検出した際にアクションを提供する方法９００の一実施形態を概略的に示している。方法は、プロセッサを含む本発明によるデバイスによって実行される。方法は、物体に関連するウェアラブルセンサによって録られるセンサデータを得るステップ９０１と、前記センサデータから第１のムーブメントパターンを決定するステップ９０２とを含む。その結果、物体のムーブメントが、特徴付けられ得る。しかしながら、その位置は依然として不明であり得る。したがって、方法はさらに、前記空間内の無線ネットワークの電子デバイス間で交換される無線通信信号を含む通信データを得るステップ９０３と、前記通信データから第２のムーブメントパターンを決定するステップ９０４とを含む。したがって、第２のムーブメントパターンは、位置を提供し得るが、異なる物体のアイデンティティ間の調停(arbitrate)を行えないであろう。したがって、方法は、前記空間内の物体を検出するために、前記第１のムーブメントパターンが前記第２のムーブメントパターンとマッチするかどうかを決定するステップ９０５と、マッチを決定した際にアクションを実行するステップ９０６とを含む。
【図１】
2021534543.tif 000003
【図２】
2021534543.tif 000004
【図３】
2021534543.tif 000005
【図４】
2021534543.tif 000006
【国際調査報告】
2021534543.tif 000007
2021534543.tif 000008